(57)【要約】【課題】部屋のレイアウトや間仕切りを行う場合に使用されるレーザー墨出し器を提供する。【解決手段】基台２に吊り下げられた揺動体７に組み込まれたレーザー光照射装置８より放射されるレーザー光を筐体の外部に投射するように構成されたレーザー墨出し器において、前記基台２の下面２Ａに水平方向にＮ極及びＳ極に着磁された基台用球状磁石６を固定するとともに前記揺動体７の上面７Ａに水平方向にＳ極及びＮ極に着磁された揺動体用球状磁石９を固定し、前記基台用球状磁石６と揺動体用球状磁石９との吸着により前記揺動体７を前記基台２に吊り下げるように構成されている。【選択図】    図１
2004156953.tif 000002
【特許請求の範囲】
【請求項１】
基台に吊り下げられた揺動体に組み込まれたレーザー光照射装置より放射されるレーザー光を筐体の外部に投射するように構成されたレーザー墨出し器において、前記基台の下面に水平方向にＮ極及びＳ極に着磁された基台用球状磁石を固定するとともに前記揺動体の上面に水平方向にＳ極及びＮ極に着磁された揺動体用球状磁石を固定し、前記基台用球状磁石と揺動体用球状磁石との吸着により前記揺動体を前記基台に吊り下げるようにしたことを特徴とするレーザー墨出し器。
【請求項２】
揺動体の下方に該揺動体が基台から離脱した状態にあるとき、該揺動体の下部を支持する支持部材を設けたことを特徴とする請求項１に記載のレーザー墨出し器。
【請求項３】
支持部材を上下動可能に設け、該支持部材の上方への変位により揺動体用球状磁石を基台用球状磁石に吸着される位置に移動させるようにしたことを特徴とする請求項２に記載のレーザー墨出し器。
【請求項４】
支持部材の前記揺動体を支持する面に衝撃を吸収する弾性部材を設けたことを特徴とする請求項２に記載のレーザー墨出し器。
【発明の詳細な説明】
【０００１】
【発明の属する技術分野】
本発明は、部屋のレイアウトや間仕切り等を行う場合に使用される墨出し器に関するものである。
【０００２】
【従来の技術】
レーザー光線は、エネルギー密度が高く広がり幅が狭いという特性を有しているため、墨出し器と呼ばれる装置に多く使用されている。斯かるレーザー光を利用した墨出し器においては、レーザー光の投射方向を常に水平方向や垂直方向に保持する必要があるためジンバルと呼ばれる支持装置が使用されている（例えば、特許文献１参照。）。
【０００３】
【特許文献１】
特開２００１−３３２４９号公報
【０００４】
【発明が解決しようとする課題】
ジンバル機構は、墨出し器において最も多く利用されている姿勢調整機構であるが、レーザー光照射装置がが組み込まれている吊り下げ体の姿勢調整動作をスムースに行うために軸を支持する手段としてボールベアリングが使用されている。ボールベアリングは、回転時の摩擦抵抗は小さいが、動き出すときの初動抵抗による影響によって吊り下げ体の傾きを調整する姿勢調整機構の動きが追従しなかったり遅れたりすることがあった。斯かる点を改良するために、吊り下げ体の重量を重くしたり、支持するボールベアリングの径を小さくすることが行われている。
【０００５】
しかし、墨出し器は、建築現場等での転倒や落下により大きな衝撃を受ける危険性があるので、吊り下げ体の重量を重くすると落下時に受ける衝撃力が大きくなり、またボールベアリングの径を小さくすると衝撃に対して弱くなるという問題がある。
【０００６】
本発明は、斯かる問題を解決することが出来る墨出し器を提供しようとするものである。
【０００７】
【課題を解決するための手段】
本発明は、基台に吊り下げられた揺動体に組み込まれたレーザー光照射装置より放射されるレーザー光を筐体の外部に投射するように構成されたレーザー墨出し器において、前記基台の下面に水平方向にＮ極及びＳ極に着磁された基台用球状磁石を固定するとともに前記揺動体の上面に水平方向にＳ極及びＮ極に着磁された揺動体用球状磁石を固定し、前記基台用球状磁石と揺動体用球状磁石との吸着により前記揺動体を前記基台に吊り下げるように構成されている。
【０００８】
【実施例】
図１は本発明のレーザー墨出し器の一実施例を示す一部断面図である。同図において、１はレーザー墨出し器を構成する筐体であり、その上方には非磁性体の基台２が固定されている。３及び４は前記筐体１の下方に設けられている基台５に螺合されている姿勢調整用の脚部であり、図示していないがもう１本設けられている。斯かる脚部３，４を回すことによって筐体１の傾きを調整することが出来るように構成されている。
【０００９】
６は前記基台２の下面２Ａに形成されている半球状の凹部２Ｂに接着剤等によって接着固定されている基台用球状磁石であり、図示したように水平方向にＮ極及びＳ極になるように着磁されている。７は内部にレーザー光を放射するレーザー光照射装置８が組み込まれている揺動体であり、該揺動体７内に組み込まれているレーザー光照射装置８から照射されるレーザー光が筐体１の壁面に形成されている透孔を通して外部に投射され、墨出し器として動作するように構成されている。９は前記揺動体７の上面７Ａに形成されている半球状の凹部７Ｂに接着剤等によって接着固定されている揺動体用球状磁石であり、図示したように水平方向にＳ極及びＮ極になるように着磁されている。
【００１０】
１０は前記筐体１の下方に設けられている基台５に螺合されている調整螺子であり、指先にて操作される摘み部１１が設けられている。１２は前記調整螺子１０によって上下方向に変位されるべく設けられている支持部材であり、前記揺動体７が衝撃等によって落下したとき該揺動体７の下部を支持するように構成されている。前記支持部材１２には図示したように凹所１２Ａが設けられているとともに前記揺動体７を支持する面１２Ｂには衝撃を吸収するクッション等の弾性部材１３が設けられている。また、前記支持部材１２は図示していない回転規制部材により前記調整螺子１０が回転しても回動しないように設けられている。
【００１１】
以上に説明したように本発明に係る墨出し器は構成されているが、次に動作について説明する。墨出し器として動作する状態にあるときには、図示したように支持部材１２は揺動体７の下面より離間した状態にあり、該揺動体７は基台用球状磁石６と揺動体用球状磁石９との吸引吸着動作によって吊り下げられた状態にある。
【００１２】
斯かる状態にあるとき、基台用球状磁石６の着磁と揺動体用球状磁石９の着磁との関係からその極性は図示したようになる。従って、前記揺動体７は、基台２に対して吊り下げられただけでなくその方向性が規制された状態になるので、筐体１に対する揺動体７の方向性、即ちレーザー光照射装置８から照射されるレーザー光の方向性を規制することが出来る。それ故、前記レーザー光照射装置８から照射されるレーザー光を筐体１の外部に正確な方向に投射することが出来、水平ライン用や垂直ライン用の墨出し器として使用することが出来る。
【００１３】
前述した状態にあるときに筐体１に対して衝撃が加わると、基台用球状磁石６と揺動体用球状磁石９との吸着状態が解除され、揺動体７は落下するが下方に設けられている支持部材１２によって支持されることになる。前記揺動体７が落下するとその下面が前記支持部材１２の凹所１２Ａ内の面１２Ｂに設けられている弾性部材１３に衝突するが、該弾性部材１３の弾力によって衝撃が吸収されるので破損等の問題が発生することはない。
【００１４】
前述したように衝撃を受けると、揺動体７が落下するが、調整螺子１０に設けられている摘み部１１を操作することによって該調整螺子１０を基台５に対して捩じ込むと支持部材１２が上方へ移動変位せしめられるため、前記揺動体７を図示した位置まで上昇させることが出来る。斯かる動作を行った後に調整螺子１０に設けられている摘み部１１を操作することによって該調整螺子１０を基台５に対して逆方向に捩じると、支持部材１２が下方へ移動変位せしめられるので図示した状態に復帰せしめられる。従って、墨出し器として動作させることが出来ることになる。
【００１５】
以上に説明したように墨出し器としての動作を行うことが出来るが、調整螺子１０に設けられている摘み部１１を操作することによって該調整螺子１０を基台５に対して捩じ込むと支持部材１２が上方へ移動変位することになるので、前記支持部材１２を基台用球状磁石６と揺動体用球状磁石９とが吸着状態になる位置に変位せしめれば前記揺動体７をロック保持することが出来る。従って、斯かる状態では前記揺動体７がロック保持された状態になるので、このままで墨出し器を持ち運ぶことが出来る。
【００１６】
【発明の効果】
本発明は、基台に吊り下げられた揺動体に組み込まれたレーザー光照射装置より放射されるレーザー光を筐体の外部に投射するように構成されたレーザー墨出し器において、前記基台の下面に水平方向にＮ極及びＳ極に着磁された基台用球状磁石を固定するとともに前記揺動体の上面に水平方向にＳ極及びＮ極に着磁された揺動体用球状磁石を固定し、前記基台用球状磁石と揺動体用球状磁石との吸着により前記揺動体を前記基台に吊り下げるようにしたので構成が簡単になるだけでなくレーザー光照射装置より放射されるレーザー光の方向性を容易に規制することが出来る。
【００１７】
また、本発明は、揺動体の下方に該揺動体が基台から離脱した状態にあるとき、該揺動体の下部を支持する支持部材を設けたので、衝撃を受けることによって揺動体が落下しても何等問題が発生することはない。
【００１８】
そして、本発明は、支持部材を上下動可能に設け、該支持部材の上方への変位により揺動体用球状磁石を基台用球状磁石に吸着される位置に移動させるようにしたので、操作性に優れたものである。
【００１９】
また、本発明は、支持部材の揺動体を支持する面に衝撃を吸収する弾性部材を設けたので、揺動体内に組み込まれているレーザー光照射装置等が損傷することを防止することが出来る。
【図面の簡単な説明】
【図１】本発明のレーザー墨出し器の一実施例を示す一部断面図である。
【符号の説明】
１        筐体
２        基台
６        基台用球状磁石
７        揺動体
８        レーザー光照射装置
９        揺動体用球状磁石
１０        調整螺子
１２        支持部材
１３        弾性部材
【図１】
2004156953.tif 000003